(57)【特許請求の範囲】
【請求項１】
表側に表示用凹部を有する表側キャビネットと、
接着剤層を介して、前記表側キャビネットに取り付けられた裏側キャビネットと、
前記表示用凹部に嵌め込まれた表示パネルと、
前記表示パネルを覆うように前記表側キャビネットに取り付けられた保護パネルと
を備え、
画像表示を行う表示領域と、該表示領域の周辺に設けられた額縁領域を有する携帯端末において、
前記接着剤層は、前記額縁領域に設けられ、前記携帯端末の幅方向と厚み方向に延設され、
前記幅方向において、前記表側キャビネットの接着面が傾斜していることを特徴とする携帯端末。
【請求項２】
前記表側キャビネットと前記保護パネルとが一体的に形成されていることを特徴とする請求項１に記載の携帯端末。
【請求項３】
前記接着剤層に、前記表側キャビネット内及び前記裏側キャビネット内に埋設された突起部が設けられていることを特徴とする請求項１または請求項２に記載の携帯端末。
【請求項４】
前記接着剤層が、反応型ホットメルト接着剤により形成されていることを特徴とする請求項１〜請求項３のいずれか１項に記載の携帯端末。
【請求項５】
前記表示パネルが、液晶表示パネルまたは有機ＥＬ表示パネルであることを特徴とする請求項１〜請求項４のいずれか１項に記載の携帯端末。
【請求項６】
前記保護パネルが、タッチパネルであることを特徴とする請求項１〜請求項５のいずれか１項に記載の携帯端末。
【発明の詳細な説明】
【技術分野】
【０００１】
本発明は、携帯端末に関し、特に、防水機構を備える携帯端末に関するものである。
【背景技術】
【０００２】
従来、携帯電話機に代表される携帯端末は、天候に関係なく常に携帯され、雨にさらされたり、水の中に落としてしまったり、また湿気の多い場所で使用されたりすることにより、内部の回路部分に水分が入り込み、短絡等の故障の原因になることがある。このため、現在では防水機能をもった携帯端末が多く利用されている。
【０００３】
また、防水の方法としては、分割された上下キャビネット間を防水機能を有する接着剤により接合する方法が採用されている。より具体的には、図１７に示す携帯電話機６０のように、表示パネル５１を嵌め込むための表示用凹部を有する表側キャビネット５３と、回路基板６１を収容し、防水機能を有する接着剤５４を介して、表側キャビネット５３に接合される裏側キャビネット５５とを備えた携帯電話機が開示されている。表側キャビネット５３は金属板５９を備えており、接着剤５４は、画像表示を行う表示領域Ｄの周辺に設けられた額縁領域Ｆに設けられている。なお、表側キャビネット５３は、タッチパネル５６用の凹部５７が形成されており、当該凹部５７には、表示パネル５１を覆うように、タッチパネル５６が両面テープ５８により貼り付けられている（例えば、特許文献１参照）。
【先行技術文献】
【特許文献】
【０００４】
【特許文献１】特開２０１１−３５８５６号公報
【発明の概要】
【発明が解決しようとする課題】
【０００５】
上記特許文献１に記載の携帯電話機６０においては、図１７に示すように、接着剤５４が、携帯電話機６０の幅方向Ｘに延設されており、携帯電話機６０の幅方向Ｘにおける接着剤５４の接着力により、表側キャビネット５３と裏側キャビネット５５とを接合する構成となっている。
【０００６】
ここで、一般に、接着剤による接着力は、接着剤５４の接着面積（接着幅）に比例するため、上記特許文献１に記載の携帯電話機６０においては、接着力を確保するために、接着幅（即ち、接着剤５４の幅）Ｗを小さくすることができない。
【０００７】
従って、上記特許文献１に記載の携帯電話機６０においては、接着剤５４が設けられた額縁領域Ｆを小さくすることが困難になるため、狭額縁化に対応することができないという問題があった。
【０００８】
そこで、本発明は、上述の問題に鑑みてなされたものであり、防水機構を備える携帯端末において、狭額縁化、及び小型化を図ることができる携帯端末を提供することを目的とする。
【課題を解決するための手段】
【０００９】
上記目的を達成するために、本発明の携帯端末は、表側に表示用凹部を有する表側キャビネットと、接着剤層を介して、表側キャビネットに取り付けられた裏側キャビネットと、表示用凹部に嵌め込まれた表示パネルと、表示パネルを覆うように表側キャビネットに取り付けられた保護パネルとを備え、画像表示を行う表示領域と、表示領域の周辺に設けられた額縁領域を有する携帯端末において、接着剤層は、額縁領域に設けられ、携帯端末の幅方向と厚み方向に延設されていることを特徴とする。
【００１０】
同構成によれば、額縁領域に設けられた接着剤層が、携帯端末の幅方向のみならず、厚み方向にも延設されているため、表側キャビネットと裏側キャビネットとを接着剤層を用いて貼り合わせる際に、携帯端末の幅方向だけではなく、厚み方向にも接着面積を確保することが可能になる。従って、携帯端末の幅方向において、表側キャビネットと裏側キャビネットとの接着面積を小さくすることができるため、接着幅（即ち、接着剤層の幅）を小さくすることができる。その結果、従来の携帯端末に比し、接着剤層が設けられた額縁領域を小さくすることができるため、防水機構を備える携帯端末において、狭額縁化、及び小型化を図ることができる。
【００１１】
本発明の携帯端末においては、表側キャビネットと保護パネルとが一体的に形成されていてもよい。
【００１２】
同構成によれば、表側キャビネットと保護パネルとが一体的に形成されているため、表側キャビネットと保護パネルとを貼り合わせるための両面テープ等の接着手段を設ける必要がなくなるとともに、表側キャビネットの厚みを小さくすることができるため、額縁領域を小さくすることができる。
【００１３】
本発明の携帯端末においては、接着剤層に、表側キャビネット内及び裏側キャビネット内に埋設された突起部が設けられていてもよい。
【００１４】
同構成によれば、アンカー効果が発揮されるため、接着剤層による接着力を向上させることが可能になる。
【００１５】
本発明の携帯端末においては、接着剤層が、反応型ホットメルト接着剤により形成されていてもよい。
【００１６】
同構成によれば、安価かつ汎用性のある接着剤により、接着剤層を形成することが可能になる。
【００１７】
また、本発明の携帯端末においては、防水機構を備える携帯端末において、狭額縁化、及び小型化を図ることができるという優れた特性を備えている。従って、本発明は、表示パネルが、液晶表示パネルまたは有機ＥＬ表示パネルである携帯端末や、保護パネルが、タッチパネルである携帯端末に好適に使用できる。
【発明の効果】
【００１８】
本発明によれば、防水機構を備える携帯端末において、狭額縁化、及び小型化を図ることができる。
【図面の簡単な説明】
【００１９】
【図１】本発明の第１の実施形態に係る携帯電話機の平面図である。
【図２】図１のＡ−Ａ断面図である。
【図３】本発明の第１の実施形態に係る携帯電話機の組み立て手順を説明するための断面図である。
【図４】本発明の第１の実施形態に係る携帯電話機の組み立て手順を説明するための断面図である。
【図５】本発明の第１の実施形態に係る携帯電話機の組み立て手順を説明するための断面図である。
【図６】本発明の第１の実施形態に係る携帯電話機の組み立て手順を説明するための断面図である。
【図７】本発明の第２の実施形態に係る携帯電話機の平面図である。
【図８】図７のＢ−Ｂ断面図である。
【図９】本発明の第２の実施形態に係る携帯電話機におけるタッチパネルと表側キャビネットとを一体的に形成する方法を説明するための断面図である。
【図１０】本発明の第２の実施形態に係る携帯電話機におけるタッチパネルと表側キャビネットとを一体的に形成する方法を説明するための断面図である。
【図１１】本発明の第２の実施形態に係る携帯電話機におけるタッチパネルと表側キャビネットとを一体的に形成する方法を説明するための断面図である。
【図１２】本発明の第２の実施形態に係る携帯電話機の組み立て手順を説明するための断面図である。
【図１３】本発明の第２の実施形態に係る携帯電話機の組み立て手順を説明するための断面図である。
【図１４】本発明の第２の実施形態に係る携帯電話機の組み立て手順を説明するための断面図である。
【図１５】本発明の第１の実施形態に係る携帯電話機の接着剤層の変形例を説明するための断面図である。
【図１６】本発明の第２の実施形態に係る携帯電話機の接着剤層の変形例を説明するための断面図である。
【図１７】従来の携帯電話機を示す断面図である。
【発明を実施するための形態】
【００２０】
以下、本発明の実施形態を図面に基づいて詳細に説明する。尚、本発明は、以下の実施形態に限定されるものではない。
【００２１】
（第１の実施形態）
図１は、本発明の第１の実施形態に係る携帯電話機の平面図であり、図２は、図１のＡ−Ａ断面図である。
【００２２】
本実施形態の携帯電話機１は、タッチパネル付携帯端末であり、図１、図２に示すように、表示パネル２と、表示パネル２を収容するための表示用凹部３を有する表側キャビネット４と、矩形板状の回路基板５と、この回路基板５を収容する矩形皿状の裏側キャビネット６とを備えている。
【００２３】
また、図１、図２に示すように、携帯電話機１は、例えば、複数の画素等で構成される表示領域Ｄと、表示領域Ｄの周辺に設けられた額縁領域Ｆとを備えている。
【００２４】
また、表側キャビネット４における表示用凹部３の周縁には、矩形枠状にタッチパネル用凹部７が形成されている。このタッチパネル用凹部７には、表示パネル２を表側から覆うように矩形板状の保護パネルであるタッチパネル８が設けられており、図２に示すように、タッチパネル８が、額縁領域Ｆに設けられた両面テープ９により、表側キャビネット４に貼り付けられている。
【００２５】
また、本実施形態においては、図２に示すように、表側キャビネット４と裏側キャビネット６とを貼り合わせるための接着剤層１０が設けられている。この接着剤層１０は、防水機能を有しており、例えば、反応型ホットメルト接着剤（紫外線や熱、水分等により、架橋反応が生じて接着力が向上する接着剤）等により形成されており、額縁領域Ｆに設けられている。
【００２６】
表側キャビネット４、及び裏側キャビネット６は、例えば、ポリカーボネート樹脂、ＡＢＳ樹脂、ポリアミド樹脂等の樹脂や、これらの樹脂とガラスフィラーの混合物により形成されている。なお、表側キャビネット４は、表側キャビネット４を形成する樹脂と一体的に成型された金属板１３を備えている。
【００２７】
また、本実施形態における表示パネル２としては、例えば、液晶表示パネルや有機ＥＬ表示パネル等を使用することができる。
【００２８】
表示パネル２として、液晶表示パネルを使用する場合は、例えば、図２に示すように、ＴＦＴ基板２２と、ＴＦＴ基板２２に対向して配置されたＣＦ基板２３と、ＴＦＴ基板２２及びＣＦ基板２３の間に挟持して設けられた表示媒体層である液晶層２４と、ＴＦＴ基板２２とＣＦ基板２３との間に狭持され、ＴＦＴ基板２２及びＣＦ基板２３を互いに接着するとともに液晶層２４を封入するために枠状に設けられたシール材２５とを備えたものが使用できる。
【００２９】
このシール材２５は、液晶層２４を周回するように形成されており、ＴＦＴ基板２２とＣＦ基板２３は、このシール材２５を介して相互に貼り合わされている。
【００３０】
ここで、本実施形態においては、図２に示すように、接着剤層１０が屈曲形状を有しており、接着剤層１０が、携帯電話機６０の幅方向Ｘと厚み方向Ｔに延設されている点に特徴がある。
【００３１】
上述のごとく、図１７に示す携帯電話機６０においては、接着力を確保するために、接着幅（即ち、接着剤５４の幅）Ｗを小さくすることができず、接着剤５４が設けられた額縁領域Ｆを小さくすることが困難になるため、狭額縁化に対応することができないという問題があった。
【００３２】
一方、本実施形態の携帯電話機１においては、額縁領域Ｆに設けられた接着剤層１０が、携帯電話機１の幅方向Ｘのみならず、厚み方向Ｔにも延設されているため、表側キャビネット４と裏側キャビネット６とを接着剤層１０を用いて貼り合わせる際に、携帯電話機１の平面方向（即ち、幅方向Ｘ）だけではなく、立体方向（即ち、厚み方向Ｔ）にも接着面積を確保することが可能になる。
【００３３】
従って、携帯電話機１の幅方向Ｘにおいて、表側キャビネット４と裏側キャビネット６との接着面積を小さくすることができるため、接着幅（即ち、接着剤層１０の幅）Ｙを小さくすることができる。その結果、上記従来の携帯電話機６０に比し、接着剤層１０が設けられた額縁領域Ｆを小さくすることができ、防水機構を備える携帯電話機１において、狭額縁化、及び小型化を図ることができる。
【００３４】
次に、携帯電話機１の組み立て手順の一例について簡単に説明する。図３〜図６は、本発明の第１の実施形態に係る携帯電話機の組み立て手順を説明するための断面図である。
【００３５】
まず、図３に示すように、表側キャビネット４に形成された表示用凹部３に、表示パネル２を収容する。
【００３６】
次いで、表側キャビネット４に形成されたタッチパネル用凹部７に、両面テープ９を設け、この両面テープ９を介して、表側キャビネット４にタッチパネル８を貼り付けて、タッチパネル用凹部７に、表示パネル２を表側から覆うようにタッチパネル８を収容する。
【００３７】
次いで、図５に示すように、額縁領域Ｆにおける表側キャビネット４の接着面４ａに、例えば、ディスペンサ３７を用いて、例えば、反応型ホットメルト接着剤等の接着剤１０ａを枠状に塗布する。
【００３８】
この際、図５に示すように、携帯電話機１の幅方向Ｘにおける表側キャビネット４の接着面４ａが傾斜しているため、塗布された接着剤１０ａは、接着面４ａの傾斜に沿って流動し、図６に示すように、接着面４ａ、及び携帯電話機１の厚み方向Ｔにおける表側キャビネット４の接着面４ｂに接触した状態で設けられる。
【００３９】
次いで、図６に示すように、接着剤１０ａが設けられた額縁領域Ｆにおいて、回路基板５が収納された裏側キャビネット６の接着面６ａ，６ｂを、表側キャビネット４の接着面４ａ，４ｂに対向させ、表側キャビネット４と裏側キャビネット６との間に接着剤１０ａを介在させた状態で、表側キャビネット４と裏側キャビネット６との位置合わせを行う。
【００４０】
次いで、接着剤１０ａ上に、裏側キャビネット６の接着面６ａ，６ｂを載置させ、裏側キャビネット６を表側キャビネット４の方向へ所定の圧力にて加圧することにより、図２に示すように、携帯電話機１の幅方向Ｘにおいて、表側キャビネット４の接着面４ａと裏側キャビネット６の接着面６ａとの間に接着剤層１０を形成するとともに、携帯電話機１の厚み方向Ｔにおいて、表側キャビネット４の接着面４ｂと裏側キャビネット６の接着面６ｂとの間に接着剤層１０を形成する。
【００４１】
そして、屈曲形状を有するととともに、携帯電話機６０の幅方向Ｘと厚み方向Ｔに延設された接着剤層１０により、表側キャビネット４と裏側キャビネット６とが貼り合わされ、図２に示す携帯電話機１が製造される。
【００４２】
（第２の実施形態）
次に、本発明の第２の実施形態について説明する。図７は、本発明の第２の実施形態に係る携帯電話機の平面図であり、図８は、図７のＢ−Ｂ断面図である。
【００４３】
なお、本実施形態においては、上記第１の実施形態と同様の構成部分については同一の符号を付してその説明を省略する。
【００４４】
本実施形態の携帯電話機３５においては、第１の実施形態において説明した表側キャビネット４の代わりに、タッチパネル８と一体的に形成された表側キャビネット１２が設けられている点に特徴がある。
【００４５】
タッチパネル８と表側キャビネット１２とを一体的に形成する方法としては、例えば、図９に示すように、まず、金型２０にタッチパネル８を載置し、樹脂注入口２７が形成された金型２１を、タッチパネル８を覆うように金型２０上に載置する。この際、図９に示すように、樹脂形成用の空間３２，３３が形成される。
【００４６】
次いで、図１０に示すように、樹脂注入口２７から、表側キャビネット１２用の樹脂を注入して、樹脂形成用の空間３２，３３内に樹脂を充填することにより、図１１に示すように、タッチパネル８と表側キャビネット１２とが一体的に形成されたガラスインサートキャビネット３６を形成する。
【００４７】
なお、表側キャビネット１２を形成する樹脂としては、上述の表側キャビネット４を形成する樹脂と同様の樹脂を使用することができる。
【００４８】
また、表側キャビネット１２においては、上述の表側キャビネット４と同様に、表示パネル２を収容するための表示用凹部２６が形成されている。
【００４９】
そして、このようなタッチパネル８と一体的に形成された表側キャビネット１２を使用することにより、第１の実施形態と異なり、表側キャビネット１２とタッチパネル８とを貼り合わせるための両面テープ９を設ける必要がなくなるとともに、図８に示す、表側キャビネット１２の厚みＳを小さくすることができるため、額縁領域Ｆを小さくすることができる。
【００５０】
また、上述の第１の実施形態の場合と同様に、表側キャビネット１２と、裏側キャビネット６とを接着剤層１０を用いて接合して貼り合わせる際に、額縁領域Ｆに設けられた接着剤層１０が、携帯電話機１の幅方向Ｘのみならず、厚み方向Ｔにも延設されているため、表側キャビネット１２と裏側キャビネット６とを接着剤層１０を用いて貼り合わせる際に、携帯電話機１の平面方向（即ち、幅方向Ｘ）だけではなく、立体方向（即ち、厚み方向Ｔ）にも接着面積を確保することが可能になる。
【００５１】
従って、携帯電話機１の幅方向Ｘにおいて、表側キャビネット１２と裏側キャビネット６との接着面積を小さくすることができるため、接着幅（即ち、接着剤層１０の幅）Ｙを小さくすることができる。その結果、狭額縁化に有利なガラスインサートキャビネット３６を使用する場合においても、上記従来の携帯電話機６０に比し、接着剤層１０が設けられた額縁領域Ｆを小さくすることができ、防水機構を備える携帯電話機３５において、狭額縁化、及び小型化を図ることができる。
【００５２】
次に、携帯電話機３５の組み立て手順の一例について簡単に説明する。図１２〜図１４は、本発明の第２の実施形態に係る携帯電話機の組み立て手順を説明するための断面図である。
【００５３】
まず、図１２に示すように、タッチパネル８と表側キャビネット１２とが一体的に形成されたガラスインサートキャビネット３６に形成された表示用凹部２６に、表示パネル２を収容する。
【００５４】
次いで、図１３に示すように、額縁領域Ｆにおける裏側キャビネット６の接着面６ｄに、例えば、ディスペンサ３７を用いて、接着剤１０ａを枠状に塗布する。
【００５５】
この際、図１３に示すように、携帯電話機３５の幅方向Ｘにおける裏側キャビネット６の接着面６ｄが断面凹状に形成されているため、塗布された接着剤１０ａは、接着面６ｄの表面に沿って流動し、図１４に示すように、接着面６ｄ、及び携帯電話機３５の厚み方向Ｔにおける裏側キャビネット６の接着面６ｅに接触した状態で設けられる。
【００５６】
次いで、図１４に示すように、接着剤１０ａが設けられた額縁領域Ｆにおいて、表示パネル２が収納された表側キャビネット１２の接着面１２ａ，１２ｂを、裏側キャビネット６の接着面６ｄ，６ｅに対向させ、表側キャビネット１２と裏側キャビネット６との間に接着剤１０ａを介在させた状態で、表側キャビネット１２と裏側キャビネット６との位置合わせを行う。
【００５７】
次いで、接着剤１０ａ上に、表側キャビネット１２の接着面１２ａ，１２ｂを載置させ、表側キャビネット１２を裏側キャビネット６の方向へ所定の圧力にて加圧することにより、図８に示すように、携帯電話機３５の幅方向Ｘにおいて、表側キャビネット１２の接着面１２ａと裏側キャビネット６の接着面６ｄとの間に接着剤層１０を形成するとともに、携帯電話機１の厚み方向Ｔにおいて、表側キャビネット１２の接着面１２ｂと裏側キャビネット６の接着面６ｅとの間に接着剤層１０を形成する。
【００５８】
そして、屈曲形状を有するととともに、携帯電話機３５の幅方向Ｘと厚み方向Ｔに延設された接着剤層１０により、表側キャビネット１２と裏側キャビネット６とを貼り合わせて、図８に示す携帯電話機３５が製造される。
【００５９】
なお、上記実施形態は以下のように変更しても良い。
【００６０】
図１５に示すように、図２に示す携帯電話機１において、表側キャビネット４に接着剤層１０を形成する接着剤が充填される溝部４ｃを形成するとともに、裏側キャビネット６に接着剤層１０を形成する接着剤が充填される溝部６ｃを形成し、接着剤層１０において、表側キャビネット４内に埋設する突起部１０ｂと、裏側キャビネット６内に埋設する突起部１０ｃを設ける構成としてもよい。
【００６１】
また、同様に、図１６に示すように、図８に示す携帯電話機３５において、表側キャビネット１２に接着剤層１０を形成する接着剤が充填される溝部１２ｃを形成するとともに、裏側キャビネット６に接着剤層１０を形成する接着剤が充填される溝部６ｆを形成し、接着剤層１０において、表側キャビネット１２内に埋設する突起部１０ｄと、裏側キャビネット６内に埋設する突起部１０ｅを設ける構成としてもよい。
【００６２】
このような構成により、アンカー効果が発揮されるため、接着剤層１０による接着力を向上させることが可能になる。
【００６３】
また、上記実施形態においては、保護パネルとしてタッチパネル８を例に挙げて説明したが、このタッチパネルの代わりに、ガラスや透明な樹脂により形成された保護パネルを使用する構成としてもよい。
【産業上の利用可能性】
【００６４】
以上説明したように、本発明は、防水機構を備える携帯端末に、特に有用である。
【符号の説明】
【００６５】
１    携帯電話機（携帯端末）
２    表示パネル 
３    表示用凹部  
４    表側キャビネット 
５    回路基板 
６    裏側キャビネット 
７    タッチパネル用凹部 
８    タッチパネル（保護パネル） 
９    両面テープ 
１０    接着剤層 
１０ａ    接着剤 
１２    表側キャビネット 
２６    表示用凹部 
３５    携帯電話機（携帯端末） 
３６      ガラスインサートキャビネット
Ｄ    表示領域
Ｆ    額縁領域
Ｔ    携帯電話機の厚み方向
Ｘ    携帯電話機の幅方向
【図１】
0005941330.tif 000002
【図２】
0005941330.tif 000003
【図３】
0005941330.tif 000004
【図４】
0005941330.tif 000005
【図５】
0005941330.tif 000006
【図６】
0005941330.tif 000007
【図７】
0005941330.tif 000008
【図８】
0005941330.tif 000009
【図９】
0005941330.tif 000010
【図１０】
0005941330.tif 000011
【図１１】
0005941330.tif 000012
【図１２】
0005941330.tif 000013
【図１３】
0005941330.tif 000014
【図１４】
0005941330.tif 000015
【図１５】
0005941330.tif 000016
【図１６】
0005941330.tif 000017
【図１７】
0005941330.tif 000018